(57)【要約】【課題】  簡単な施工で、ガタつきがなく確実で、安全に取付けられ、経年変化もなく、シンプルなデザインで、多種な現在建築にも適合するペーパーホルダーを提供する。【解決手段】  アルミ押出型材の概略断面が逆Ｕ字体の上面に上向き連結片を突設し、逆Ｕ字体の下方内面に係合斜面を形成し、逆Ｕ字体の側面から嵌めて逆Ｕ字体内に位置させたアルミ押出型材の心棒を前記係合斜面と逆Ｕ字体内面との間に位置させ、心棒から突設したピンを逆Ｕ字体の上下方向に刻設した調整孔に嵌め、逆Ｕ字体内面と心棒の外周面との間にペーパーを挟持するようにしたペーパーホルダーとした。【選択図】  図１
0003102021.tif 000002
【実用新案登録請求の範囲】
【請求項１】
アルミ押出型材の概略断面が逆Ｕ字体の上面に上向き連結片を突設し、逆Ｕ字体の下方内面に係合斜面を形成し、逆Ｕ字体の側面から嵌めて逆Ｕ字体内に位置させたアルミ押出型材の心棒を前記係合斜面と逆Ｕ字体内面との間に位置させ、心棒から突設したピンを逆Ｕ字体の上下方向に刻設した調整孔に嵌め、逆Ｕ字体内面と心棒の外周面との間にペーパーを挟持するようにしたペーパーホルダー。
【考案の詳細な説明】
【技術分野】
【０００１】
本考案は、ペーパーホルダーに関し、特に、アルミ押出型材で構成され、レール本体を介して壁面に取付けられるものについてである。
【背景技術】
【０００２】
アルミ押出型材で構成され、レール本体を介して壁面に取付けられるペーパーホルダーは存在しない。
【特許文献１】特開２００３−２２５１２６号公報
【特許文献２】特開平１１−２５９７７０号公報
【考案の開示】
【考案が解決しようとする課題】
【０００３】
アルミ押出型材で構成され、レール本体を介して壁面に取付けられるペーパーホルダーは存在しないので、簡単な施工で、ガタつきがなく確実で、安全に取付けられ、経年変化もなく、シンプルなデザインで、多種な現在建築にも適合するペーパーホルダーの提供が求められている。
【課題を解決するための手段】
【０００４】
そこで、本考案は、上記の事情に鑑み、簡単な施工で、ガタつきがなく確実で、安全に取付けられ、経年変化もなく、シンプルなデザインで、多種な現在建築にも適合するペーパーホルダーを提供すべく、アルミ押出型材の概略断面が逆Ｕ字体の上面に上向き連結片を突設し、逆Ｕ字体の下方内面に係合斜面を形成し、逆Ｕ字体の側面から嵌めて逆Ｕ字体内に位置させたアルミ押出型材の心棒を前記係合斜面と逆Ｕ字体内面との間に位置させ、心棒から突設したピンを逆Ｕ字体の上下方向に刻設した調整孔に嵌め、逆Ｕ字体内面と心棒の外周面との間にペーパーを挟持するようにしたペーパーホルダーとした。
【考案の効果】
【０００５】
本考案は、上述のように、アルミ押出型材の概略断面が逆Ｕ字体の上面に上向き連結片を突設し、逆Ｕ字体の下方内面に係合斜面を形成し、逆Ｕ字体の側面から嵌めて逆Ｕ字体内に位置させたアルミ押出型材の心棒を前記係合斜面と逆Ｕ字体内面との間に位置させ、心棒から突設したピンを逆Ｕ字体の上下方向に刻設した調整孔に嵌め、逆Ｕ字体内面と心棒の外周面との間にペーパーを挟持するようにしたペーパーホルダーであるので、簡単な施工で、ガタつきがなく確実で、安全に取付けられ、経年変化もなく、シンプルなデザインで、多種な現在建築にも適合するペーパーホルダーが提供できる。
【考案を実施するための最良の形態】
【０００６】
本考案を添付する図面の具体的な実施例に基づいて、以下詳細に説明する。
【０００７】
本考案のペーパーホルダーの実施例を、図１に示す。
【０００８】
アルミ押出型材のレール本体１は、アルミ押出型材の受けレール２を介して壁面Ｗに取付ける。
【０００９】
図１ではレール本体１にアルミ押出型材のレールフック５とアルミ押出型材のペーパーホルダー６を装着した例を示す。
【００１０】
レール本体１は、図２、図３に詳細に示す。レール本体１は、断面が概略長方形のアルミ押出型材で、その一側面に受けレール２を取付ける溝９、他側面にレールフック５を取付ける溝１０、上面にアッパーラック３を取付ける溝１１、下面にペーパーホルダー６を取付ける溝１２をそれぞれ刻設する。
【００１１】
受けレール２は、図４、図５に詳細を示す。受けレール２は垂直状の板状体１３の中央部から上向き差込片１４を外方に向けて突出させる。この受けレール２は取付孔１５を穿設しておき、壁面にネジ１６で螺締する。壁面に螺締した受けレール２の上向き差込片１４に、図１に示すように溝９を嵌めてレール本体１を壁面に取付ける。
【００１２】
レール本体１の下部両側にタップ孔４９を貫通させておき、ネジ（図示せず）を螺着させておいて、受けレール２の高さが調整できるようにしてある。
【００１３】
アッパーラック３は、図６、図７に詳細を示す。アッパーラック３は、水平棚板１７の下面の壁面寄りから下向き連結片１８を突出する。なお、水平棚板１７上面の前後端部には水平棚板１７上面に載置した物品が落下しないように、停止縁部１９・２０を膨出する。レール本体１の溝１１に下向き連結片１８を、側部より嵌めてアッパーラック３をレール本体１に装着する。
【００１４】
アンダーラック４は、図８、図９に詳細に示す。アンダーラック４は、水平棚板２１の壁面Ｗ寄りの上面より垂直板２２を起立させ、垂直板２２の上端に水平取付板２３を設け、水平取付板２３上面に上向き連結片２４を突出する。レール本体１の溝１２に上向き連結片２４を、側部より嵌めてアンダーラック４をレール本体１に装着する。なお、水平棚板２１上面の前端部には水平棚板２１上面に載置した物品が落下しないように停止縁部２５を膨出する。また、水平棚板２１ができるだけ水平を保てるように、水平棚板２１の端面が壁面Ｗに確実に当接するように、寸法を若干（０．３ｍｍ程度）長めに設定する。アッパーラック３およびアンダーラック４には物品を載置する。
【００１５】
レールフック５は、図１０、図１１に詳細を示す。レールフック５は、垂直状の板状体２６の中央内面に下向き差込片２７を内方に向けて突出させ、板状体２６の下端外面に上向きフック片２８を外方に向けて突出させる。レール本体１の溝１０に下向き差込片２７を嵌めて、レールフック５をレール本体１に装着する。
【００１６】
レールフック５には物品の支持、吊り下げ、又は掛けたりする。
【００１７】
ペーパーホルダー６は図１２、図１３に詳細に示す。ペーパーホルダー６は、逆Ｕ字体２９と、逆Ｕ字体２９内に位置してペーパーを挟持する心棒３０と、心棒３０を逆Ｕ字体２９内に位置させるピン３１とよりなる。
【００１８】
図１４、図１５には逆Ｕ字体２９を示す。概略断面が逆Ｕ字の逆Ｕ字体２９の上面に上向き連結片３２を突出し、逆Ｕ字体２９の下方内面に係合斜面３３を形成し、逆Ｕ字体２９の中央にはペーパーを外すとき、心棒３０を上方へ移動させるための上下方向の調整孔３４を刻設する。
【００１９】
心棒３０は図１６、図１７に示され、円柱体３５から垂直片３６を垂下させ、中央側部に、図１８に示すピン３１を螺着するためのタップ孔３７が刻設してある。
【００２０】
図１２、図１３に示すように、心棒３０は逆Ｕ字体２９の側面から嵌め、調整孔３４にピン３１を嵌めて心棒３０のタップ孔３７に螺着させて、心棒３０が逆Ｕ字体２９から外れないようにする。
【００２１】
ペーパーを挟持する時は、ピン３１を調整孔３４内で上方に移動させ、逆Ｕ字体２９内面と心棒３０の円柱体３５の外周面との間で挟持する。心棒３０は重量があって係合斜面３３に当接して停止している。挟持しているペーパーを外す時は、ピン３１を調整孔３４に沿って上方へ持ち上げ、逆Ｕ字体２９内面と心棒３０の円柱体３５との間に隙間を作ってペーパーを外す。レール本体１の溝１２にペーパーホルダー６の上向き連結片３２を、図１に示すように側面から嵌め、ペーパーホルダー６をレール本体１に装着する。
【００２２】
図１８にピンを示す。
【００２３】
図１９では、上記の例を斜視図で示したものである。
【００２４】
フック４６、フック４７は上記では説明されてないが、フック４６はフック５を幅１５ｍｍ程度に切断したものであり、フック４７もフック７をピン４０を中心に幅１５ｍｍ程度に切断したものである。
【産業上の利用可能性】
【００２５】
本考案は、ペーパーホルダーとして述べたが、ハンカチーフや布地などの展示用にも用いることができる。
【図面の簡単な説明】
【００２６】
【図１】受けレールを介して壁面に取付けたレール本体に、レールフックとペーパーホルダーを装着した状態の側面図である。
【図２】レール本体の正面図である。
【図３】レール本体の側面図である。
【図４】受けレールの正面図である。
【図５】受けレールの側面図である。
【図６】アッパーラックの正面図である。
【図７】アッパーラックの側面図である。
【図８】アンダーラックの正面図である。
【図９】アンダーラックの側面図である。
【図１０】レールフックの正面図である。
【図１１】レールフックの側面図である。
【図１２】ペーパーホルダーの正面図である。
【図１３】ペーパーホルダーの側面図である。
【図１４】逆Ｕ字体の正面図である。
【図１５】逆Ｕ字体の側面図である。
【図１６】心棒の正面図である。
【図１７】心棒の側面図である。
【図１８】ピンの側面図である。
【図１９】本考案のペーパーホルダーが装着される物品保持部材の斜視図である。
【符号の説明】
【００２７】
２９…逆Ｕ字体
３２…上向き連結片
３３…係合斜面
３０…心棒
３１…ピン
３４…調整孔
【図１】
0003102021.tif 000003
【図２】
0003102021.tif 000004
【図３】
0003102021.tif 000005
【図４】
0003102021.tif 000006
【図５】
0003102021.tif 000007
【図６】
0003102021.tif 000008
【図７】
0003102021.tif 000009
【図８】
0003102021.tif 000010
【図９】
0003102021.tif 000011
【図１０】
0003102021.tif 000012
【図１１】
0003102021.tif 000013
【図１２】
0003102021.tif 000014
【図１３】
0003102021.tif 000015
【図１４】
0003102021.tif 000016
【図１５】
0003102021.tif 000017
【図１６】
0003102021.tif 000018
【図１７】
0003102021.tif 000019
【図１８】
0003102021.tif 000020
【図１９】
0003102021.tif 000021